(57)【要約】【課題】ピクチャインピクチャ表示等される副映像として記録されているビデオの利便性を向上する「ビデオ再生装置」を提供する。【解決手段】表示モードとして通常表示モードが設定されているときに、セカンダリビデオデータのフォーマットが、セカンダリビデオ用のデコーダでデコード可能でない場合には、全面表示されているプライマリビデオ３０１上に、セカンダリビデオの存在を表すマーク３０３を表示する（ａ３）。一方、表示モードとしてセカンダリビデオ優先表示モードが設定されているときには、セカンダリビデオデータを、プライマリビデオ用のデコーダでデコードし、デコードしたセカンダリビデオ３０２を全面表示する（ｂ２、ｂ３）。【選択図】図３
2013051480.tif 000002
【特許請求の範囲】
【請求項１】
分配されたビデオデータからビデオをデコードする第１のビデオデコーダと、
分配されたビデオデータからビデオをデコードする、前記第１のビデオデコーダよりもデコード可能なビデオデータのフォーマットの範囲が狭い第２ビデオデコーダと、
前記第１のビデオデコーダがデコードしたビデオと前記第２のビデオデコーダがデコードしたビデオとを、前記第１のビデオデコーダがデコードしたビデオ上に前記第２のビデオデコーダがデコードしたビデオを重畳した形態に合成して表示する合成表示手段と、
プライマリビデオデータとセカンダリビデオデータとの二つのビデオデータを記録した記録媒体から前記プライマリビデオデータと前記セカンダリビデオデータとを読み出して、前記プライマリビデオデータを前記第１のビデオデコーダに、前記セカンダリビデオデータを前記第２のビデオデコーダに分配する分配手段と
を備えたビデオ再生装置であって、
ユーザの操作に応じて、セカンダリビデオ優先表示モードを設定するモード設定手段と、
前記セカンダリビデオ優先表示モードが設定されているときに、前記分配手段が、前記プライマリビデオデータを前記第１のビデオデコーダに前記セカンダリビデオデータを前記第２のビデオデコーダに分配する代わりに、前記セカンダリビデオデータを前記第１のビデオデコーダに分配するように制御する分配制御手段とを有することを特徴とするビデオ再生装置。
【請求項２】
請求項１記載のビデオ再生装置であって、
前記セカンダリビデオ優先表示モードが設定されているときに、前記第１のビデオデコーダがデコードしたビデオのサイズ及び表示位置を、当該ビデオが全画面表示されるように変換する変換手段を有することを特徴とするビデオ再生装置。
【請求項３】
請求項１または２記載のビデオ再生装置であって、
前記セカンダリビデオ優先表示モードが設定されていないときに、前記第２のビデオデコーダでデコードすべき前記セカンダリビデオデータのフォーマットが当該第２のビデオデコーダがデコードできないものであった場合に、前記合成表示手段に、表示できないセカンダリビデオが存在することを表す表示オブジェクトを、前記第１のビデオデコーダがデコードしたビデオに合成して表示させるセカンダリビデオ存在通知手段を有することを特徴とするビデオ再生装置。
【請求項４】
請求項１、２または３記載のビデオ再生装置であって、
前記記録媒体は、BD-ROMであることを特徴とするビデオ再生装置。
【請求項５】
分配されたビデオデータからビデオをデコードする第１のビデオデコーダと、
分配されたビデオデータからビデオをデコードする、前記第１のビデオデコーダよりもデコード可能なビデオデータのフォーマットの範囲が狭い第２ビデオデコーダと、
前記第１のビデオデコーダがデコードしたビデオと前記第２のビデオデコーダがデコードしたビデオとを、前記第１のビデオデコーダがデコードしたビデオ上に前記第２のビデオデコーダがデコードしたビデオを重畳した形態に合成して表示する合成表示手段と、
プライマリビデオデータとセカンダリビデオデータとの二つのビデオデータを記録した記録媒体から前記プライマリビデオデータと前記セカンダリビデオデータとを読み出して、前記プライマリビデオデータを前記第１のビデオデコーダに、前記セカンダリビデオデータを前記第２のビデオデコーダに分配する分配手段と
を備えたビデオ再生装置において、前記セカンダリビデオデータの再生表示を制御する再生表示制御方法であって、
ユーザの操作に応じて、セカンダリビデオ優先表示モードを設定するモード設定ステップと、
前記セカンダリビデオ優先表示モードが設定されているときに、前記分配手段が、前記プライマリビデオデータを前記第１のビデオデコーダに前記セカンダリビデオデータを前記第２のビデオデコーダに分配する代わりに、前記セカンダリビデオデータを前記第１のビデオデコーダに分配するように制御する分配制御ステップとを有することを特徴とする再生表示制御方法。
【発明の詳細な説明】
【技術分野】
【０００１】
本発明は、ビデオ再生装置において、副映像としてピクチャインピクチャ表示等の形態で表示されるビデオの再生表示を制御する技術に関するものである。
【背景技術】
【０００２】
主映像として表示されるビデオであるプライマリビデオに加え、副映像としてピクチャインピクチャ表示等の形態で表示されるビデオであるセカンダリビデオを記録可能なBD（Blu-ray Disc）-ROMを再生するビデオ再生装置には、プライマリビデオ用のデコーダと、セカンダリビデオ用のデコーダとが個別に設けられている。
そして、このようなビデオ再生装置におけるBD-ROMの再生は、BD-ROMに記録されているプライマリビデオをプライマリビデオ用のデコーダでデコードして全画面表示すると共に、BD-ROMに記録されているセカンダリビデオをセカンダリビデオ用のデコーダでデコードして、プライマリビデオの表示上にピクチャインピクチャの形態等により重畳表示することにより行われる。
【０００３】
ここで、規格上、BD-ROMを再生するビデオ再生装置のセカンダリビデオ用のデコーダは、BD-ROMに記録され得るセカンダリビデオの全てのフォーマット（解像度やフレームレート）に対応している必要はない。
したがって、BD-ROMに記録されているセカンダリビデオのフォーマットが、ビデオ再生装置のセカンダリビデオ用のデコーダが対応していないものである場合が生じ得る。そして、この場合には、ビデオ再生装置においてBD-ROMに記録されているセカンダリビデオを再生できないこととなる。
【０００４】
そこで、このような問題を解決するために、BD-ROMに各種フォーマットのセカンダリビデオを記録しておき、ビデオ再生装置において、BD-ROMに記録されている複数のセカンダリビデオの内から、当該ビデオ再生装置のセカンダリビデオ用のデコーダでデコード可能なセカンダリビデオを選択して再生することが提案されている（特許文献１）。
【先行技術文献】
【特許文献】
【０００５】
【特許文献１】特開２００７-３２５２４２号公報
【発明の概要】
【発明が解決しようとする課題】
【０００６】
前記特許文献１の技術によれば、BD-ROMに各種フォーマットのセカンダリビデオが記録されていなければならず、このようにBD-ROMに各種フォーマットのセカンダリビデオが記録されていないBD-ROMについては、BD-ROMに記録されているセカンダリビデオを再生できない場合が生じ得る。そして、この場合、BD-ROMに記録されているセカンダリビデオのユーザの利便性は失われてしまうこととなる。
【０００７】
一方で、ビデオ再生装置が車載のビデオ再生装置などであって、小型のディスプレイを表示に用いるものであった場合、BD-ROMに記録されているセカンダリビデオをBD-ROMで指定されたサイズでピクチャインピクチャ表示すると、セカンダリビデオの表示サイズが小さすぎて、ユーザが良好に視認することができなくなってしまい、セカンダリビデオのユーザの利便性が低下してしまうこともある。
【０００８】
そこで、本発明は、ピクチャインピクチャ表示等の形態で表示される副映像として用意されたビデオの、ユーザの利便性を向上することができるビデオ再生装置を提供することを課題とする。
【課題を解決するための手段】
【０００９】
前記課題達成のために、本発明は、分配されたビデオデータからビデオをデコードする第１のビデオデコーダと、分配されたビデオデータからビデオをデコードする、前記第１のビデオデコーダよりもデコード可能なビデオデータのフォーマットの範囲が狭い第２ビデオデコーダと、前記第１のビデオデコーダがデコードしたビデオと前記第２のビデオデコーダがデコードしたビデオとを、前記第１のビデオデコーダがデコードしたビデオ上に前記第２のビデオデコーダがデコードしたビデオを重畳した形態に合成して表示する合成表示手段と、プライマリビデオデータとセカンダリビデオデータとの二つのビデオデータを記録した記録媒体から前記プライマリビデオデータと前記セカンダリビデオデータとを読み出して、前記プライマリビデオデータを前記第１のビデオデコーダに、前記セカンダリビデオデータを前記第２のビデオデコーダに分配する分配手段とを備えたビデオ再生装置に、ユーザの操作に応じて、セカンダリビデオ優先表示モードを設定するモード設定手段と、前記セカンダリビデオ優先表示モードが設定されているときに、前記分配手段が、前記プライマリビデオデータを前記第１のビデオデコーダに前記セカンダリビデオデータを前記第２のビデオデコーダに分配する代わりに、前記セカンダリビデオデータを前記第１のビデオデコーダに分配するように制御する分配制御手段とを設けたものである。
【００１０】
このようなビデオ再生装置によれば、セカンダリビデオデータのフォーマットが前記第２のビデオデコーダがデコード可能なものでない場合にも、セカンダリビデオデータを、前記第１のビデオデコーダでデコードすることにより再生表示することができるようになる。
ここで、このようなビデオ再生装置には、さらに、前記セカンダリビデオ優先表示モードが設定されているときに、前記第１のビデオデコーダがデコードしたビデオのサイズ及び表示位置を、当該ビデオが全画面表示されるように変換する変換手段を設けることが好ましい。
【００１１】
このようにすることにより、ユーザは、セカンダリビデオデータを、随意に、全画面表示させて視認性を高めた形態で視聴することができるようになる。
また、以上のようなビデオ再生装置には、さらに、前記セカンダリビデオ優先表示モードが設定されていないときに、前記第２のビデオデコーダでデコードすべき前記セカンダリビデオデータのフォーマットが当該第２のビデオデコーダがデコードできないものであった場合に、前記合成表示手段に、表示できないセカンダリビデオが存在することを表す表示オブジェクトを、前記第１のビデオデコーダがデコードしたビデオに合成して表示させるセカンダリビデオ存在通知手段を設けることも好ましい。
【００１２】
このようにすることにより、ユーザは、前記第１のビデオデコーダでデコードできないために表示されないセカンダリビデオデータが存在する場合に、当該存在を表示オブジェクトの表示から認知し、セカンダリビデオデータのビデオを視聴したい場合には、セカンダリビデオ優先表示モードを設定して、当該セカンダリビデオデータのビデオを視聴することができるようになる。
【００１３】
なお、以上のビデオ再生装置は、前記記録媒体は、たとえば、BD-ROMであってよい。
【発明の効果】
【００１４】
以上のように、本発明によれば、ピクチャインピクチャ表示等の形態で表示される副映像として用意されたビデオの、ユーザの利便性を向上することができるビデオ再生装置を提供することができる。
【図面の簡単な説明】
【００１５】
【図１】本発明の実施形態に係るビデオ再生装置の構成を示すブロック図である。
【図２】本発明の実施形態に係るセカンダリビデオ表示制御処理を示すフローチャートである。
【図３】本発明の実施形態に係るセカンダリビデオ表示制御処理の処理例を示す図である。
【発明を実施するための形態】
【００１６】
以下、本発明の実施形態について説明する。
図１に、本実施形態に係るビデオ再生装置の構成を示す。
このビデオ再生装置は、BD-ROM１００にBDMVフォーマットで記録されているビデオコンテンツを再生するビデオ再生装置であり、図示するように、BDシステムＬＳＩ１、BDドライブ２、操作部３、制御部４、スケール変換部５、ディスプレイ６を備えている。
ここで、BDドライブ２はBD-ROM１００からの各種データの読み出しを行う装置であり、BDシステムＬＳＩ１はBDドライブ２がBD-ROM１００から読み出したデータから、BD-ROM１００に記録されているビデオコンテンツを表すビデオを再生して出力し、スケール変換部５は、BDシステムＬＳＩ１から出力されたビデオのサイズをディスプレイ６の表示サイズに整合させるサイズ変換処理を行い、ディスプレイ６はサイズ変換処理後のビデオを表示する。
【００１７】
次に、操作部３は、リモコンなどのユーザの操作を受け付ける装置であり、制御部４は、操作部３が受付たユーザの操作などに応じて、ビデオ再生装置の各部を制御する。
次に、BDシステムＬＳＩ１は、コントローラ１１、ドライブインタフェース１２、ＤＥ-ＭＵＸ部１３、ＰＶバッファ１４１、ＳＶバッファ１４２、ＰＧバッファ１４３、ＩＧバッファ１４４、ＰＶデコーダ１５１、ＳＶデコーダ１５２、ＰＧデコーダ１５３、ＩＧデコーダ１５４、ＰＶスケーリング/ポジショニング部１６１、ＳＶスケーリング/ポジショニング部１６２、ＰＶプレーン１７１、ＳＶプレーン１７２、ＰＧプレーン１７３、ＩＧプレーン１７４、ＭＩＸ部１８を備えている。
【００１８】
ここで、ＰＶデコーダ１５１とＳＶデコーダ１５２とは共にビデオデコーダであるが、ＰＶデコーダ１５１とＳＶデコーダ１５２とはデコードできるビデオデータのフォーマットの範囲が異なり、ＳＶデコーダ１５２がデコードできるビデオデータのフォーマットの範囲は、ＰＶデコーダ１５１デコードできるビデオデータのフォーマットの範囲よりも狭い。すなわち、たとえば、ＰＶデコーダ１５１は、解像度がＨＤ（1920＊1080、1280＊720）までのビデオデータをデコードすることができるが、ＳＶデコーダ１５２は、解像度がＳＤ（720＊480、720＊576）までのビデオデータしかデコードすることができない。
【００１９】
さて、このようなBDシステムＬＳＩ１において、コントローラ１１は、ドライブインタフェース１２、BDドライブ２を介してBD-ROM１００のビデオコンテンツ再生制御用の各種データを取得し、BDシステムＬＳＩ１の各部の動作を制御する。
BD-ROM１００には、主映像として全画面表示するビデオであるプライマリビデオのデータであるプライマリビデオデータ、副映像としてピクチャインピクチャ表示等されるビデオであるセカンダリビデオのデータであるセカンダリビデオデータ、字幕表示用等のデータであるＰＧデータ、インタラクティブな再生制御に用いるボタンなどの表示オブジェクトのデータであるＩＧデータが記録されており、ドライブインタフェース１２は、コントローラ１１の制御に従ってこれらデータを、BDドライブ２を介してBD-ROM１００から読み出す。
【００２０】
また、ＤＥ-ＭＵＸ部１３は、コントローラ１１の指示に応じて、ドライブインタフェース１２がBD-ROM１００から読み出したプライマリビデオデータをＰＶバッファ１４１に格納すると共に、ドライブインタフェース１２がBD-ROM１００から読み出したセカンダリビデオデータをＳＶバッファ１４２に格納する動作と、ドライブインタフェース１２がBD-ROM１００から読み出したセカンダリビデオデータをＰＶバッファ１４１に格納する動作とのいずれかを行う。
【００２１】
また、ＤＥ-ＭＵＸ部１３は、ドライブインタフェース１２がBD-ROM１００から読み出したＰＧデータをＰＧバッファ１４３に格納し、ドライブインタフェース１２がBD-ROM１００から読み出したＩＧデータをＩＧバッファ１４４に格納する。
ＰＶデコーダ１５１は、ＰＶバッファ１４１に格納されたビデオデータ（プライマリビデオデータまたはセカンダリビデオデータ）を映像データにデコードし、ＰＶスケーリング/ポジショニング部１６１は、ＰＶデコーダ１５１がデコードした映像データのスケール（サイズ）と表示位置を、コントローラ１１からの指定に従って変換し、ＰＶプレーン１７１に格納する。
【００２２】
ＳＶデコーダ１５２はＳＶバッファ１４２に格納されたセカンダリビデオデータを映像データにデコードし、ＳＶスケーリング/ポジショニング部１６２は、ＳＶデコーダ１５２がデコードした映像データのスケール（サイズ）と表示位置を、コントローラ１１からの指定に従って変換し、ＳＶプレーン１７２に格納する。
【００２３】
また、ＰＧデコーダ１５３はＰＧバッファ１４３に格納されたＰＧデータを映像データにデコードしＰＧプレーン１７３に格納し、ＩＧデコーダ１５４はＩＧバッファ１４４に格納されたＩＧデータを映像データにデコードしＩＧプレーン１７４に格納する。
ＭＩＸ部は、各プレーンに格納された映像データを一つのビデオに合成し、合成したビデオをスケール変換部５に出力する。ここで、合成の順序は、ＰＶプレーン１７１の映像データが表す映像上に、ＳＶプレーン１７２の映像データが表す映像とＰＧプレーン１７３の映像データが表す映像とＩＧプレーン１７４の映像データが表す映像を重ねたものとする。
【００２４】
さて、このようなビデオ再生装置において、制御部４は、操作部３のユーザ操作に応じて、BDシステムＬＳＩ１のコントローラ１１に設定する表示モードを、通常表示モードとセカンダリビデオ優先表示モードとの間で切り替える。
そして、BDシステムＬＳＩ１のコントローラ１１は、図２に示すセカンダリビデオ表示制御処理によって、セカンダリビデオの再生表示を制御する。
すなわち、コントローラ１１はセカンダリビデオ表示制御処理において、まず、現在再生表示すべきセカンダリビデオが存在するかどうかを調べ（ステップ２０２）、存在しない場合には、通常表示制御を行う（ステップ２０８）。通常表示の制御の詳細については後述する。
【００２５】
一方、現在再生表示すべきセカンダリビデオが存在する場合には（ステップ２０２）、表示モードとして通常表示モードが設定されているかどうかを調べ（ステップ２０４）、通常表示モードが設定されている場合には、上述した通常表示制御を行う（ステップ２１０）。そして、存在するセカンダリビデオのフォーマットが、ＳＶデコーダ１５２がデコードできないものであるかどうかを調べる（ステップ２１２）。ここで、セカンダリビデオのフォーマットは、BD-ROM１００から読み出したビデオコンテンツ再生制御用のデータの記述に基づいて識別する。
【００２６】
そして、セカンダリビデオのフォーマットが、ＳＶデコーダ１５２がデコードできるものである場合には、そのままステップ２０２に戻り、デコードできないもの、すなわち、たとえば、ＳＶデコーダ１５２が解像度がＨＤのビデオデータに対応しておらず、セカンダリビデオの解像度がＨＤであった場合には、セカンダリビデオの存在を表すマークのプライマリビデオ上への表示をＭＩＸ部に行わせた上で（ステップ２１４）、ステップ２０２に戻る。
【００２７】
一方、現在再生表示すべきセカンダリビデオが存在し（ステップ２０２）、表示モードとして通常表示モードが設定されていない場合（ステップ２０４）、すなわち、現在再生表示すべきセカンダリビデオが存在し、かつ、表示モードとしてセカンダリビデオ優先表示モードが設定されている場合には、セカンダリビデオの全画面表示制御を行い（ステップ２０６）、ステップ２０２に戻る。ここで、このセカンダリビデオの全画面表示制御の詳細については後述する。
【００２８】
以下、上述した通常表示制御とセカンダリビデオの全画面表示制御の詳細について説明する。
まず、通常表示制御について説明する。
ステップ２０８、２１０で行う通常表示の制御では、コントローラ１１は、ＤＥ-ＭＵＸ部１３に、ドライブインタフェース１２がBD-ROM１００から読み出したプライマリビデオデータをＰＶバッファ１４１に格納させ、ドライブインタフェース１２がBD-ROM１００から読み出したセカンダリビデオデータをＳＶバッファ１４２に格納させる。
【００２９】
また、ＰＶスケーリング/ポジショニング部１６１に、ＰＶデコーダ１５１がＰＶバッファ１４１に格納されたプライマリビデオデータをデコードした映像データをスルーして、そのままＰＶプレーン１７１に格納させることにより、プライマリビデオが全画面に表示されるようにする。
【００３０】
また、ＳＶスケーリング/ポジショニング部１６２に、ＳＶデコーダ１５２がＳＶバッファ１４２に格納されたセカンダリビデオをデコードした映像データのスケール（サイズ）と表示位置の、BD-ROM１００から読み出したビデオコンテンツ再生制御用のデータによって指定されたセカンダリビデオのスケール（サイズ）と表示位置への変換と、変換後の映像データのＳＶプレーン１７２への格納を行わせる。この結果、ビデオコンテンツ再生制御用のデータによって指定されたセカンダリビデオのスケール（サイズ）が全画面でない場合には、プライマリビデオ上にセカンダリビデオがピクチャインピクチャ表示されることとなる。
【００３１】
ただし、以上の通常表示制御が行われているときであっても、現在再生表示すべきセカンダリビデオが存在しない場合には、セカンダリビデオの表示は行われない。
また、以上の通常表示制御が行われているときであっても、セカンダリビデオデータのフォーマットが、ＳＶデコーダ１５２がデコードできないものであった場合には、すなわち、たとえば、セカンダリビデオの解像度がＨＤであった場合には、セカンダリビデオの表示は行われない。
【００３２】
次に、セカンダリビデオの全画面表示制御について説明する。
一方、ステップ２０６で行うセカンダリビデオの全画面表示制御では、コントローラ１１は、ＤＥ-ＭＵＸ部１３に、ドライブインタフェース１２がBD-ROM１００から読み出したセカンダリビデオデータをＰＶバッファ１４１に格納させる。
そして、ＰＶスケーリング/ポジショニング部１６１に、ＰＶデコーダ１５１がＰＶバッファ１４１に格納されたセカンダリビデオデータをデコードした映像データの、スケール（サイズ）と表示位置を、セカンダリビデオが全画面表示されるように変換させて、ＰＶプレーン１７１に格納させることにより、セカンダリビデオが全画面に表示されるようにする。
【００３３】
なお、セカンダリビデオの全画面表示制御では、プライマリビデオの再生表示は行わない。
以上、BDシステムＬＳＩ１のコントローラ１１が行うセカンダリビデオ表示制御処理について説明した。
以上のようなセカンダリビデオ表示制御処理によれば、ディスプレイ６の表示は、図３に示すように制御される。
すなわち、表示モードとして通常表示モードが設定されているときに、表示すべきセカンダリビデオデータが存在しない場合には、ａ１に示すようにプライマリビデオデータが表すプライマリビデオ３０１のみが、ディスプレイ６に全面表示される。
また、表示モードとして通常表示モードが設定されているときに、表示すべきセカンダリビデオデータが存在し、セカンダリビデオデータのフォーマットがＳＶデコーダ１５２がデコード可能なものである場合には、ａ２に示すようにプライマリビデオデータが表すプライマリビデオ３０１がディスプレイ６に全面表示されると共に、プライマリビデオ３０１上にセカンダリビデオデータが表すセカンダリビデオ３０２がピクチャインピクチャ表示される。
【００３４】
また、表示モードとして通常表示モードが設定されているときに、表示すべきセカンダリビデオデータが存在し、セカンダリビデオデータのフォーマットがＳＶデコーダ１５２がデコード可能なものでない場合には、ａ３に示すようにプライマリビデオデータが表すプライマリビデオ３０１がディスプレイ６に全面表示されると共に、プライマリビデオ３０１上に、表示されていないセカンダリビデオの存在を表すマーク３０３が表示される。
【００３５】
ここで、ユーザは、このマーク３０３の表示より、表示されていないセカンダリビデオが存在することを知得して、このセカンダリビデオを視聴したい場合には、表示モードをセカンダリビデオ優先表示モードに切り替えることにより、後述（ｂ３）のように、当該セカンダリビデオを視聴できるようになる。
【００３６】
次に、表示モードとしてセカンダリビデオ優先表示モードが設定されているときに、表示すべきセカンダリビデオデータが存在しない場合には、ｂ１に示すようにプライマリビデオデータが表すプライマリビデオ３０１のみが、ディスプレイ６に全面表示される。
また、表示モードとしてセカンダリビデオ優先表示モードが設定されているときに、表示すべきセカンダリビデオデータが存在し、セカンダリビデオデータのフォーマットがＳＶデコーダ１５２がデコード可能なものである場合には、ｂ２に示すようにセカンダリビデオデータをＰＶデコーダ１５１でデコードしたセカンダリビデオ３０２がディスプレイ６に全面表示される。
【００３７】
また、表示モードとしてセカンダリビデオ優先表示モードが設定されているときに、表示すべきセカンダリビデオデータが存在し、セカンダリビデオデータのフォーマットがＳＶデコーダ１５２がデコード可能なものでない場合にも、ｂ３に示すようにセカンダリビデオデータをＰＶデコーダ１５１でデコードしたセカンダリビデオ３０２がディスプレイ６に全面表示される。
【００３８】
以上、本発明の実施形態について説明した。
ところで、以上の実施形態では、ユーザが操作部３の操作によって、表示モードを通常表示モードとセカンダリビデオ優先表示モードとの間でBD-ROM１００の再生中に随時切り替えられるものとしたが、表示モードは、初期設定メニューなどにおいて、操作部３のユーザの操作に応じて設定するものとしてもよい。
【００３９】
以上のように、本実施形態によれば、セカンダリビデオデータのフォーマットがＳＶデコーダ１５２がデコード可能なものである場合には、表示モードの設定により、セカンダリビデオをピクチャイン表示することも全画面表示することもできる。また、セカンダリビデオデータのフォーマットがＳＶデコーダ１５２がデコード可能なものでない場合には、セカンダリビデオデータを、ＰＶデコーダ１５１でデコードすることにより、セカンダリビデオを再生表示することができる。
【００４０】
よって、セカンダリビデオの表示サイズが小さい、セカンダリビデオを再生表示できないなどの不便を解消し、セカンダリビデオの利便性を向上することができる。
【符号の説明】
【００４１】
１…BDシステムＬＳＩ、２…BDドライブ、３…操作部、４…制御部、５…スケール変換部、６…ディスプレイ、１１…コントローラ、１２…ドライブインタフェース、１３…ＤＥ-ＭＵＸ部、１８…ＭＩＸ部、１４１…ＰＶバッファ、１４２…ＳＶバッファ、１４３…ＰＧバッファ、１４４…ＩＧバッファ、１５１…ＰＶデコーダ、１５２…ＳＶデコーダ、１５３…ＰＧデコーダ、１５４…ＩＧデコーダ、１６１…ＰＶスケーリング/ポジショニング部、１６２…ＳＶスケーリング/ポジショニング部、１７１…ＰＶプレーン、１７２…ＳＶプレーン、１７３…ＰＧプレーン、１７４…ＩＧプレーン。
【図１】
2013051480.tif 000003
【図２】
2013051480.tif 000004
【図３】
2013051480.tif 000005